Podtech/llm-jp-corpus-v4-ja_patent huggingface dataset:
【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
３〜３０重量％の過酸化水素を含み、６〜８のｐＨ値を有する水性組成物と、１〜６０分間、０〜３５℃の温度で、表面を接触させることを含む、表面上で細菌胞子を除去する方法であって、いかなる発芽工程も含まない方法。
【請求項２】
３〜３０重量％の過酸化水素と、
０．０５〜０．５重量％の水酸化アルカリと、
０．００５〜１重量％の少なくとも１種の遷移金属イオン封鎖剤と、
０．１〜１重量％の少なくとも１種の非イオン性界面活性剤とを含み、
残りの重量％の割合は水であり、これにより１００重量％となる水性組成物の形態の殺胞子剤。
【手続補正２】
【補正対象書類名】明細書
【補正対象項目名】００３６
【補正方法】変更
【補正の内容】
【００３６】
実施例３の結果を比較例Ｂと比較すると、実施例１に従って調製されたｐＨがより低い組成物は、ｐＨ７においてより有効であった（生菌数でより優勢な減少があった）ことが示される。また、比較例Ａの組成物と対照的に、アルカリ性媒体に感応性である表面上で実施例1の組成物を使用することができるという利点もある。
本出願は、特許請求の範囲に記載の発明を含め、以下の発明を包含する。
（１）  ３〜３０重量％の過酸化水素を含み、６〜８のｐＨ値を有する水性組成物と、１〜６０分間、０〜３５℃の温度で、表面を接触させることを含む、表面上で細菌胞子を除去する方法であって、前記方法がいかなる発芽工程も含まない方法。
（２）  水性組成物が５〜２５重量％の過酸化水素を含む（１）に記載の方法。
（３）  水性組成物が６．５〜７．５のｐＨ値を有する（１）または（２）に記載の方法。
（４）  水性組成物が、
０．０５〜０．５重量％の水酸化アルカリと、
０．００５〜１重量％の少なくとも１種の遷移金属イオン封鎖剤と、
０〜１０重量％の少なくとも１種の非イオン性界面活性剤と、
０〜１０重量％の、陰イオン性界面活性剤、両性界面活性剤、硬水金属イオン封鎖剤、腐食抑制剤、粘度調整剤、芳香剤および染料からなる群から選択される少なくとも１種のさらなる補助添加剤とをさらに含み、
残りの重量％の割合は水であり、これにより１００重量％となる（１）〜（３）のいずれか一項に記載の方法。
（５）  水組成物が、陰イオン性界面活性剤、両性界面活性剤、非イオン性界面活性剤、硬水金属イオン封鎖剤、腐食抑制剤、粘度調整剤、芳香剤、染料および過酸化物分解安定剤からなる群から選択される少なくとも１種の補助添加剤を含む（４）に記載の方法。
（６）  接触時間が５〜３０分である（１）〜（５）のいずれか一項に記載の方法。
（７）  温度が１５〜２５℃である（１）〜（６）のいずれか一項に記載の方法。
（８）  表面が、木材、木材ベースの材料、プラスチック、セラミック、ガラス、コンクリート、金属および金属合金からなる群から選択される（１）〜（７）のいずれか一項に記載の方法。
（９）  表面が、床、壁、天井、タイル、鏡、窓、ドア、ドアの取っ手、手摺り、家具、装置、装置筐体およびベッドフレームからなる群から選択される基体の表面である（１）〜（８）のいずれか一項に記載の方法。
（１０）  表面が、食品を加工する場所、診療室、病院、手術をする場所および療養所の領域からなる群から選択される領域の基体の表面である（１）〜（９）のいずれか一項に記載の方法。
（１１）  細菌胞子が、枯草菌（ｂａｃｉｌｌｕｓ  ｓｕｂｔｉｌｉｓ）、バチルス  セレウス（ｂａｃｉｌｌｕｓ  ｃｅｒｅｕｓ）、クロストリジウム  スポロゲンス（ｃｌｏｓｔｒｉｄｉｕｍ  ｓｐｏｒｏｇｅｎｅｓ）およびクロストリジウム  ディフィシール（ｃｌｏｓｔｒｉｄｉｕｍ  ｄｉｆｆｉｃｉｌｅ）からなる群から選択される（１）〜（１０）のいずれか一項に記載の方法。
（１２）  接触工程が、ワイピング、ブラッシング、浸漬、すすぎおよび噴霧適用からなる群から選択される適用方法によって実行される（１）〜（１１）のいずれか一項に記載の方法。
（１３）  ３〜３０重量％の過酸化水素を含み、６〜８のｐＨ値を有する水性組成物の形態の殺胞子剤。
（１４）  ５〜２５重量％の過酸化水素を含む（１３）に記載の殺胞子剤。
（１５）  ｐＨ値が６．５〜７．５である（１３）または（１４）に記載の殺胞子剤。
（１６）  ３〜３０重量％の過酸化水素と、
０．０５〜０．５重量％の水酸化アルカリと、
０．００５〜１重量％の少なくとも１種の遷移金属イオン封鎖剤と、
０〜１０重量％の少なくとも１種の非イオン性界面活性剤と、
０〜１０重量％の、陰イオン性界面活性剤、両性界面活性剤、硬水金属イオン封鎖剤、腐食抑制剤、粘度調整剤、芳香剤および染料からなる群から選択される少なくとも１種のさらなる補助添加剤とを含み、
残りの重量％の割合は水であり、これにより１００重量％となる（１３）に記載の殺胞子剤。
（１７）  遷移金属イオン封鎖剤が、ジメチルグリオキシム、１，４，７−トリアザシクロノナン、ジピリジルアミン、エチレンジアミン−Ｎ，Ｎ，Ｎ’，Ｎ’−四酢酸およびそのアルカリ塩、ジエチレントリアミン−Ｎ，Ｎ，Ｎ’，Ｎ’，Ｎ’’−五酢酸およびそのアルカリ塩、ニトリロ−２，２’，２’’−三酢酸およびそのアルカリ塩、１，２−ジアミノシクロヘキシルテトラ（メチレンホスホン酸）およびそのアルカリ塩、ジエチレントリアミンペンタ（メチレンホスホン酸）およびそのアルカリ塩、ならびにエチレンジアミンテトラ（メチレンホスホン酸）およびそのアルカリ塩からなる群から選択される（１６）に記載の殺胞子剤。
（１８）  陰イオン性界面活性剤、両性界面活性剤、非イオン性界面活性剤、硬水金属イオン封鎖剤、腐食抑制剤、粘度調整剤、芳香剤、染料および過酸化物分解安定剤からなる群から選択される少なくとも１種の補助添加剤を含む（１３）〜（１７）のいずれか一項に記載の殺胞子剤。
【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
以下の工程：
ａ）非水溶媒と酸との混合物中にアルミナ前駆体を溶解する工程；
ｂ）非水溶媒に気泡剤を溶解する工程；
ｃ）工程ａ）及びｂ）で得られた溶液を一つに混合する工程；
ｄ）工程ｃ）の反応混合物に形態制御剤を添加する工程；
ｅ）工程ｄ）の反応混合物を蒸発させる工程；及び
ｆ）工程ｅ）の生成物から形態制御剤及び気泡剤を除去する工程
を含むことを特徴とする無機ポーラス酸化材料の製造方法。
【請求項２】
前記工程ａ）のｐＨが、０．５と２．０の間であり、好ましくは０．８と１．２の間であることを特徴とする請求項１の方法。
【請求項３】
前記アルミナ前駆体が、窒化アルミニウム、塩化アルミニウム、酸化アルミニウム、及びアルミニウムアルコキシド又はそれらの組み合わせから選択されることを特徴とする請求項１又は２の方法。
【請求項４】
前記アルミナ前駆体が、アルミニウムトリ−ｓｅｃ−ブトキシドであることを特徴とする請求項３の方法。
【請求項５】
前記気泡剤が、非イオン性高分子界面活性剤であることを特徴とする請求項１〜４のいずれか１つによる方法。
【請求項６】
前記非イオン性高分子界面活性剤が、ジ及びトリ−ブロックコポリマーであることを特徴とする請求項５の方法。
【請求項７】
金属酸化物ドーパント前駆体が、前記工程ａ）〜ｄ）のいずれかの間に金属石鹸の形態で添加されることを特徴とする請求項１〜６のいずれか１つによる方法。
【請求項８】
前記金属が、マグネシウム、カルシウム、マンガン、鉄、コバルト、ニッケル、モリブデン、亜鉛、ルテニウム、ロジウム、銀、シリコン又はそれらの組み合わせから選択されることを特徴とする請求項７の方法。
【請求項９】
前記形態制御剤が、アニオン性界面活性剤であることを特徴とする請求項１〜８のいずれか１つによる方法。
【請求項１０】
前記アニオン性界面活性剤が、Ｎ−ラウロイル−アミノ酸由来界面活性剤であることを特徴とする請求項７の方法。
【請求項１１】
混合工程ｃ）の前に、混合工程ｂ）で得られた溶液が、有機膨潤剤と混合されることを特徴とする請求項１〜１０のいずれか１つによる方法。
【請求項１２】
前記有機膨潤剤が、メシチレン及びデカンから選択されることを特徴とする請求項１１の方法。
【請求項１３】
請求項１〜１２のいずれか１つによる方法から得られる無機ポーラス酸化材料。
【請求項１４】
無機ポーラス酸化材料が、１〜３０ｎｍの範囲の急峻な気泡径の中気泡を有することを特徴とする請求項１３の無機ポーラス酸化材料。
【請求項１５】
無機ポーラス酸化材料が、１００ｎｍ〜２００μｍの範囲の粒子径を有することを特徴とする請求項１３又は１４の無機ポーラス酸化材料。
【請求項１６】
無機ポーラス酸化材料が、球形、平坦粒子、又は刻み粒子の形態を有することを特徴とする請求項１３〜１５のいずれか１つによる無機ポーラス酸化材料。
【請求項１７】
無機ポーラス酸化材料が、１μｍ以上の厚さを有する平坦外形粒子形態を有することを特徴とする請求項１３〜１５のいずれか１つによる無機ポーラス酸化材料。
【請求項１８】
無機ポーラス酸化材料が、４００ｍ2／ｇより大きな表面積を有することを特徴とする
請求項１３〜１７のいずれか１つによる無機ポーラス酸化材料。
【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
ベースプレート（２）と、支持体（５）とを有し、かつ航空機におけるギャレーモジュールなどのアセンブリの高さを手動で調整するデバイス（１）であって、
２つの対向するウェッジ体（３、４）が、前記ベースプレート（２）と前記支持体（５）との間を、前記高さ調整のために移動可能にガイドされるように配置され、前記ウェッジ体（３、４）は縦軸（８）に対して平行に移動しないように固定されることができ、そして実質的に長方形の前記ベースプレート（２）の上面（６）の少なくとも複数の領域は、ベースプレート歯（２４）を有することを特徴とする、デバイス（１）。
【請求項２】
前記ベースプレート（２）の上面（６）の少なくとも複数の領域は、アリ凸部などの凸部（７）を有し、
前記凸部（７）は、それぞれの前記ウェッジ体（３、４）の底面（９、１０）の領域に形成されたアリ溝などの溝（１１、１２）に挿入され、
それぞれの前記ウェッジ体（３、４）は、前記ベースプレート（２）の縦軸（８）に対して平行に移動可能にガイドされることを特徴とする、請求項１に記載のデバイス（１）。
【請求項３】
それぞれの前記ウェッジ体（３、４）は、手動で前記縦軸（８）に対して垂直方向に回転されうるロックレバー（２６、２７）を収容し、
前記ロックレバー（２６、２７）の底面（２８、２９）の少なくとも一部の領域は、ロックレバー歯（３０、３１）を有し、前記ロックレバー（２６、２７）を下方に回転することで、前記ロックレバー歯（３０、３１）と、前記ベースプレート歯（２４）とが噛み合い、前記ウェッジ体（３、４）の位置を固定することを特徴とする、請求項１または２に記載のデバイス（１）。
【請求項４】
前記ロックレバー（２６、２７）には、それぞれの前記ロックレバー歯（３０、３１）と前記ベースプレート歯（２４）とが噛み合うように、シリンダースプリング（３７、３８）などのバネによって応力が加えられ、前記ベースプレート（２）上における前記ウェッジ体（３、４）の位置が固定されることを特徴とする、請求項３に記載のデバイス（１）。
【請求項５】
それぞれの前記ロックレバー（２６、２７）は、ストッパー（３９、４０）などの固定手段によって意図せぬ上方への回転、および汚れの粒子の侵入から守られることを特徴とする、請求項３又は４に記載のデバイス（１）。
【請求項６】
前記ロックレバー（２６、２７）は、前記ウェッジ体（３、４）に形成され、かつ前記縦軸（８）に対して垂直方向に延びた凹部（３５、３６）に、回転可能に収容され、
前記ロックレバー（２６、２７）が下方に回されたとき、前記凹部（３５、３６）には、前記固定手段が挿入されうることを特徴とする、請求項３〜５のいずれか一項に記載のデバイス（１）。
【請求項７】
前記支持体（５）の底面（１８）は、互いに逆方向に傾き、中心線（２１）の領域で互いに接合する２つのアリ凸部などの凸部（１９、２０）を有することを特徴とする、請求項１〜６のいずれか一項に記載のデバイス（１）。
【請求項８】
それぞれの前記ウェッジ体（３、４）の上面（１４、１５）には、アリ溝などの傾斜溝（１６、１７）が形成され、それぞれの前記傾斜溝（１６、１７）は、互いに逆方向に傾き、前記傾斜溝（１６、１７）の傾きは、前記支持体（５）のそれぞれの凸部（１９、２０）の傾きに対応することを特徴とする、請求項７に記載のデバイス（１）。
【請求項９】
前記ウェッジ体（３、４）を、前記縦軸（８）に対して平行にそれぞれ対向させて移動させることで、前記支持体（５）が垂直軸（１３）に対して平行に上昇または下降することを特徴とする、請求項１〜８のいずれか一項に記載のデバイス（１）。
【請求項１０】
前記アセンブリは前記支持体（５）に接続されることを特徴とする、請求項１〜９のいずれか一項に記載のデバイス（１）。
【手続補正２】
【補正対象書類名】明細書
【補正対象項目名】００３８
【補正方法】変更
【補正の内容】
【００３８】
１  デバイス
２  ベースプレート
３  ウェッジ体（第１）
４  ウェッジ体（第２）
５  支持体
６  ベースプレートの上面
７  ベースプレートの凸部
８  縦軸
９  第１ウェッジ体の底面
１０  第２ウェッジ体の底面
１１  第１ウェッジ体の底面の溝
１２  第２ウェッジ体の底面の溝
１３  垂直軸
１４  第１ウェッジ体の上面
１５  第２ウェッジ体の上面
１６  第１ウェッジ体の上面の溝
１７  第２ウェッジ体の上面の溝
１８  支持体の底面
１９  支持体の凸部
２０  支持体の凸部
２１  支持体の頂上線の中心線
２２  矢印
２３  矢印
２４  ベースプレート歯
２５  ベースプレートの取り付け穴
２６  第１ウェッジ体のロックレバー
２７  第２ウェッジ体のロックレバー
２８  ロックレバーの底面
２９  ロックレバーの底面
３０  ロックレバー歯
３１  ロックレバー歯
３２  矢印
３３  ピン
３４  ピン
３５  第１ウェッジ体の凹部
３６  第２ウェッジ体の凹部
３７  シリンダースプリング
３８  シリンダースプリング
３９  ストッパー
４０  ストッパー
４１  第１ウェッジ体の穴
４２  ロックレバーの穴
４３  ロックレバーの穴
４４  支持体の取り付け穴
４５  シリンダースプリングの位置を固定するための穴
４６  シリンダースプリングの位置を固定するための穴
４７  第１ロックレバーの上面
４８  第１凹部の被覆面
【手続補正書】
【提出日】平成23年7月11日(2011.7.11)
【手続補正１】
【補正対象書類名】特許請求の範囲
【補正対象項目名】全文
【補正方法】変更
【補正の内容】
【特許請求の範囲】
【請求項１】
化合物Ｉと、Ｄ−酒石酸との化学量論比が実質的に１：１であり、図１に示される°２θにピークを有するＸ線粉末回折図を特徴とする結晶性多型Ｉの形態である、下記構造式の化合物Ｉ（（Ｒ）−３−フルオロフェニル−３，４，５−トリフルオロベンジルカルバミン酸１−アザビシクロ［２．２．２］オクト−３−イルエステル）のＤ−酒石酸塩：
【化１】
2011504890.tif 000001
【請求項２】
実質的に無水結晶性塩である、請求項１に記載の塩。
【請求項３】
請求項１および２のいずれか一項に記載の塩を含んでなる、医薬組成物。
【請求項４】
少なくとも一種類の薬学上許容される担体または賦形剤を更に含んでなる、請求項３に記載の医薬組成物。
【請求項５】
尿生殖器障害を伴う疾患または症状の治療のための、請求項３または４に記載の医薬組成物。
【請求項６】
前記尿生殖器障害を伴う疾患が尿失禁である、請求項５に記載の医薬組成物。
【請求項７】
前記尿生殖器障害を伴う疾患が過活動膀胱である、請求項５に記載の医薬組成物。
【手続補正書】
【提出日】平成23年11月1日(2011.11.1)
【手続補正１】
【補正対象書類名】特許請求の範囲
【補正対象項目名】全文
【補正方法】変更
【補正の内容】
【特許請求の範囲】
【請求項１】
超硬合金から成る回転バー（ｒｏｔａｒｙ ｂｕｒｒ）において、
軸部と、
加工部分とを備え、該加工部分の表面は、複数の切削歯を規定する右ねじ式のヘリカル状に配向した複数の縦溝を備え、前記切削歯の各々は、前面と、後面と、先端と、零度より大きい正の前面角度とを備え且つ前記加工部分の周辺に配設された半径方向ランドが無い、超硬合金から成る回転バー。
【請求項２】
請求項１に記載の回転バーにおいて、第一の材料の少なくとも第一の領域と、第二の材料の第二の領域とを備え、前記第一の材料の組成は、前記第二の材料の組成と相違する、回転バー。
【請求項３】
請求項２に記載の回転バーにおいて、前記第一の材料及び前記第二の材料は、超硬合金である、回転バー。
【請求項４】
請求項３に記載の回転バーにおいて、前記第一の領域は、前記加工部分の外側領域を備え、前記第二の領域は前記加工部分のコア領域と、前記軸部とを備える、回転バー。
【請求項５】
請求項２に記載の回転バーにおいて、前記第一の領域は前記加工部分を備え、前記第二の領域は前記軸部を備え、前記軸部は前記加工部分に結合される、回転バー。
【請求項６】
請求項５に記載の回転バーにおいて、前記第一の材料は超硬合金であり、前記第二の材料はスチール及びタングステン合金の一方である、回転バー。
【請求項７】
請求項１に記載の回転バーにおいて、前記加工部分は、円筒体、球、円錐体、逆円錐体、ボールヘッド付き円錐体、皿穴形、楕円体、炎状、ツリー形状体、及びボール先端付き円筒体から選ばれた形状体を有する、回転バー。
【請求項８】
請求項１に記載の回転バーにおいて、前記加工部分の前記表面は、前記右ねじ式のヘリカル状に配向した複数の縦溝と交差して、複数の別個の切削歯を規定する左ねじ式のヘリカル状に配向した複数の縦溝を更に備える、回転バー。
【請求項９】
請求項１に記載の回転バーにおいて、少なくとも前記加工部分は、表面被覆を備える、回転バー。
【請求項１０】
請求項９に記載の回転バーにおいて、前記表面被覆は、化学気相蒸着（ＣＶＤ）被覆、物理気相蒸着（ＰＶＤ）被覆及びダイヤモンド被覆の１つである、回転バー。
【請求項１１】
超硬合金から成る回転バーにおいて、
軸部と、
加工部分とを備え、該加工部分は、第一の超硬合金の少なくとも外側領域を備え、前記外側領域の表面は、複数の切削歯を規定する右ねじ式のヘリカル状に配向した複数の縦溝を備え、前記切削歯の各々は、前面と、後面と、先端と、零度より大きい正の前面角度とを備え且つ前記加工部分の周辺に配設された半径方向ランドが無い、超硬合金から成る回転バー。
【請求項１２】
請求項１１に記載の回転バーにおいて、前記軸部と、前記加工部分の少なくともコア領域とは、第二の超硬合金から成る、回転バー。
【請求項１３】
請求項１１に記載の回転バーにおいて、前記加工部分は、前記第一の超硬合金から成り、前記軸部は、金属合金、スチール及びタングステン合金の１つから成り且つ前記加工部分に結合される、回転バー。
【請求項１４】
請求項１１に記載の回転バーにおいて、前記加工部分は、表面被覆を備える、回転バー。
【請求項１５】
請求項１４に記載の回転バーにおいて、前記表面被覆は、化学気相蒸着（ＣＶＤ）被覆、物理気相蒸着（ＰＶＤ）被覆及びダイヤモンド被覆の１つである、回転バー。
【請求項１６】
一連の切削歯を含む加工部分を更に備える、超硬合金から成る回転バーを製造する方法において、
前記ブランクの少なくとも一部分に右ねじ式のヘリカル状に配向した一連の縦溝を提供し、前記回転バーの加工部分を提供する工程と、
隣接する縦溝の間に配設された領域を加工して、前記加工部分に一連の切削歯を提供する工程とを備え、該切削歯の各々は、零度より大きい正の前面角度を含み且つ前記加工部分の周辺に半径方向ランドが無い、回転バーを製造する方法。
【請求項１７】
請求項１６に記載の方法において、前記ブランクは、第一の材料の第一の領域と、第二の材料の第二の領域とを備え、前記第一の材料の組成は、前記第二の材料の組成と相違する、方法。
【請求項１８】
請求項１７に記載の方法において、前記第一の材料及び前記第二の材料は、超硬合金である、方法。
【請求項１９】
請求項１８に記載の方法において、前記第一の領域は前記加工部分の外側領域の少なくとも一部分を形成し、前記第二の領域は前記加工部分のコアの少なくとも一部分と、前記回転バーの軸部とを形成する、方法。
【請求項２０】
請求項１６に記載の方法において、
軸部を前記加工部分に結合する工程を更に備える、方法。
【請求項２１】
請求項１６に記載の方法において、前記加工部分は、円筒体、球、円錐体、逆円錐体、ボールヘッド付き円錐体、皿穴形、楕円体、炎状、ツリー形状体、及びボール先端付き円筒体から選ばれた形状体を有する、方法。
【請求項２２】
請求項１６に記載の方法において、
前記右ねじ式のヘリカル状に配向した複数の縦溝と交差して、複数の別個の切削歯を規定する左ねじ式のヘリカル状に配向した一連の縦溝を前記ブランクの部分に提供する工程を更に備える、方法。
【請求項２３】
請求項１６に記載の方法において、
前記回転バーの少なくとも一部分に表面被覆を施す工程を更に備える、方法。
【請求項２４】
請求項２３に記載の方法において、前記表面被覆は、化学気相蒸着（ＣＶＤ）被覆、物理気相蒸着（ＰＶＤ）被覆及びダイヤモンド被覆の１つである、方法。
【手続補正書】
【提出日】平成23年11月7日(2011.11.7)
【手続補正１】
【補正対象書類名】明細書
【補正対象項目名】００２７
【補正方法】変更
【補正の内容】
【００２７】
もう一つの方法として、本発明に関して適当な金属含有フィルムは、金属充填ポリマーの押し出し、金属表面の含浸、又は金属フィルム若しくは金属粒子の積層若しくはカプセル化によって形成することができる。例えば、図８で例示されているように、構造体（１０）は、熱線透明で可視光不透明の基材である第一基材（８１）を有する第一部分（８０）、及び第二基材（７１）を有する第二部分（７０）を備えてもよい。熱線反射層を有する第二部分（７０）は、基材（７１）、例えば低放射率部分（３５）で金属化された延伸ＰＴＦＥのようなフィルムを含み、且つ熱線透明で可視光不透明の第一基材（８１）の第二表面（１３）に仲介層（４）によって接着される。他の一つの実施態様において、熱線透明で可視光不透明である第一基材（８１）の第二表面（１３）に隣接して配置し且つ任意的に第一基材（８１）に付着した金属化された布地を、第二部分（７０）が有してもよい。
【手続補正２】
【補正対象書類名】図面
【補正対象項目名】図１０
【補正方法】変更
【補正の内容】
【図１０】
2011504820.tif 000001
【手続補正３】
【補正対象書類名】図面
【補正対象項目名】図１１
【補正方法】変更
【補正の内容】
【図１１】
2011504820.tif 000002
【手続補正書】
【提出日】平成23年10月11日(2011.10.11)
【手続補正１】
【補正対象書類名】特許請求の範囲
【補正対象項目名】全文
【補正方法】変更
【補正の内容】
【特許請求の範囲】
【請求項１】
フェースマスクであって、
着用された際に、人の、少なくとも鼻及び口を覆ってフィットし、内部気体空間を画定することを助けるように構成された、マスク本体と、
前記内部気体空間と外部気体空間との間の流体連通を可能にする、一方向弁と、を含み、
前記一方向弁は、
前記マスク本体に取り付けられた基部であって、２つ以上の開口部を有し、これを通して気体が前記内部気体空間と前記外部気体空間との間を通過することができ、前記２つ以上の開口部の各開口部は、該各開口部の周囲に延びる封止表面によって囲まれる、基部と、
前記基部に位置付けられる静止隔壁であって、２つ以上の開口部及びそれらの各封止表面の上に延びる、静止隔壁と、
前記静止隔壁内に形成される２つ以上の弁フラップであって、前記２つ以上の弁フラップの１つの弁フラップが、前記２つ以上の開口部の各開口部の上に位置し、前記２つ以上の弁フラップの各弁フラップは、前記静止隔壁を通して形成される境界スロットと、それに沿って前記弁フラップが前記静止隔壁に結合されるヒンジとを含み、前記境界スロットは第１端部から第２端部に延びる前記弁フラップの自由縁部を画定し、各弁フラップの自由端部は弁フラップが同一方向に開くように配置され、前記ヒンジは前記弁フラップの前記自由縁部の前記第１端部と前記第２端部との間に延びる、弁フラップと、を含み、
前記２つ以上の弁フラップの各弁フラップは、前記弁フラップが前記開口部の周囲に延びる前記封止表面に接触する閉鎖位置であって、前記弁フラップが前記開口部の上に位置して前記開口部を閉じる閉鎖位置を有し、前記弁フラップは、また、気体が前記内部気体空間と前記外部気体空間との間を通過することができるように、前記弁フラップの少なくとも一部が前記封止表面から持ち上げられる開放位置を有し、
一方向弁は、更に、前記基部に取り付けられた弁カバーを含む、フェースマスク。
【請求項２】
フェースマスクであって、
着用された際に、人の、少なくとも鼻及び口を覆ってフィットし、内部気体空間を画定
することを助けるように構成された、マスク本体と、
前記内部気体空間と外部気体空間との間の流体連通を許容する、一方向弁と、を含み、
前記一方向弁は、
前記マスク本体に取り付けられた基部であって、２つ以上の開口部を有し、これを通して気体が前記内部気体空間と前記外部気体空間との間を通過することができ、前記２つ以上の開口部の各開口部は、該各開口部の周囲に延びる封止表面によって囲まれる、基部と、
前記２つ以上の開口部の各開口部を覆うように位置する弁フラップであって、各弁フラップは静止部分と可動部分とを含み、ヒンジが前記静止部分と前記可動部分との間に位置し、各弁フラップは、前記ヒンジの外側の弁フラップの可動部分の周囲に延びる自由縁部を含む、弁フラップと、を含み、
各弁フラップは、前記弁フラップの前記可動部分が前記開口部の周囲に延びる前記封止表面に接触する閉鎖位置であって、前記弁フラップが前記開口部の上に位置して前記開口部を閉じる閉鎖位置を含み、前記弁フラップは、また、気体が前記内部気体空間と前記外部気体空間との間を通過することができるように、前記弁フラップの前記可動部分が前記封止表面から持ち上げられる開放位置を含み、
前記２つ以上の開口部の上に位置する前記弁フラップは、一方の弁フラップの前記自由縁部が他方の弁フラップのヒンジに隣接して位置するように、同一方向に向けられ、
前記弁フラップの前記ヒンジは、互いにほぼ平行であり、
前記弁フラップのうちの少なくとも１つの弁フラップのヒンジは、弁フラップを通して形成された１つ以上のヒンジスロットと、弁フラップの前記可動部分が前記静止部分に接続された１つ以上のランド部分と、を有する、フェースマスク。
【請求項３】
フェースマスクであって、
着用された際に、人の、少なくとも鼻及び口を覆ってフィットし、内部気体空間を画定することを助けるように構成された、マスク本体と、
前記内部気体空間と外部気体空間との間の流体連通を許容する、一方向弁と、を含み、
前記一方向弁は、
前記マスク本体に取り付けられた基部であって、開口部を含み、該開口部を通して気体が前記内部気体空間と前記外部気体空間との間を通過することができ、前記開口部は、前記開口部の周囲に延びる封止表面によって囲まれる、基部と、
前記開口部の上に位置する弁フラップであって、静止部分と可動部分とを含み、ヒンジが前記静止部分と前記可動部分との間に位置する、弁フラップと、を含み、
前記弁フラップは、前記弁フラップが前記封止表面に接触して前記開口部を閉じる閉鎖位置を有し、前記弁フラップは、また、気体が前記内部気体空間と前記外部気体空間との間を通過することができるように前記弁フラップの前記可動部分が前記封止表面から持ち上げられる開放位置を有し、
更に、前記ヒンジは、前記弁フラップを通じて形成された１つ以上のヒンジスロットと、前記弁フラップの前記可動部分が前記弁フラップの前記静止部分に接続される１つ以上のランド部分とを含み、
前記弁フラップが前記閉鎖位置にあるとき、前記１つ以上のヒンジスロットは前記封止表面の外側に位置する、フェースマスク。
【手続補正書】
【提出日】平成23年9月20日(2011.9.20)
【手続補正１】
【補正対象書類名】特許請求の範囲
【補正対象項目名】全文
【補正方法】変更
【補正の内容】
【特許請求の範囲】
【請求項１】
顔面シール部分を備える折り畳み可能な頭部カバーアセンブリと、
該頭部カバーアセンブリに取り付けられるバイザーアセンブリと、
該バイザーアセンブリに着脱自在に取り付けられる頭部サスペンションシステムと、を備えるレスピレータシステム。
【請求項２】
レスピレータシステムのバイザーアセンブリに着脱自在に取り付けられるように構成された頭部サスペンションシステムであって、
レスピレータシステムは、折り畳み可能な頭部カバーアセンブリを含み、
頭部サスペンションシステムは、着用者の頭部に装着されるように構成されたヘッドバンド部材と、それぞれがバイザーアセンブリに着脱自在に取り付けられるように構成された少なくとも２つの解放機構と、を備え、
広げられた状態の頭部サスペンションシステムは、概ね平面形状をなす、頭部サスペンションシステム。
【手続補正書】
【提出日】平成23年10月11日(2011.10.11)
【手続補正１】
【補正対象書類名】特許請求の範囲
【補正対象項目名】全文
【補正方法】変更
【補正の内容】
【特許請求の範囲】
【請求項１】
高血圧患者を治療するシステムであって、
血流通路に取り付けるのに適した少なくとも１つの表面を有する高血圧治療デバイスを備え、前記通路を冷却することが可能な冷却面をなし、これにより前記制限された血流通路に対する遠位性血圧を減少させるよう、前記通路を冷却し得る、高血圧患者を治療するシステム。
【請求項２】
前記冷却面の温度を制御するための制御装置から成る請求項１に記載のシステム。
【請求項３】
前記規制を引き起こすために前記冷却面と協力するための機械式であるか油圧狭めデバイスから成る請求項１に記載のシステム。
【請求項４】
内部制御装置すなわち、前記冷却面の温度が内部制御装置によって制御から成る請求項２に記載のシステム。
【請求項５】
患者の物理パラメータまたはデバイスの関数パラメタを検出しているセンサから成り、そこにおいて、内部制御装置は、前記センサに応答して前記冷却面を制御する請求項２に記載のシステム。
【請求項６】
前記センサは、血圧を検出している請求項５に記載のシステム。
【請求項７】
前記高血圧治療デバイスは、肺領域の高血圧を減らすために肺動脈に配置されるのに適している請求項１に記載のシステム。
【請求項８】
電源および電子回路部品は、冷却面に電力を供給するために適応した請求項２に記載のシステム。
【請求項９】
前記電源は、再充電可能な電源である請求項８に記載のシステム。
【請求項１０】
更に裏面上の熱を引き起こしている電子的要素から成る冷却面における請求項８に記載のシステム。
【請求項１１】
電子的要素は、画素段の素子である請求項１０に記載のシステム。
【請求項１２】
水冷システムは、裏面から離れて熱を運搬するために適応した請求項１０に記載のシステム。
【請求項１３】
患者身体の外側でから電源の無線荷電のための無線エネルギー送信器から成る請求項９に記載のシステム。
【請求項１４】
人間または哺乳類維管束系の高血圧を制御する方法において、
針のような管を患者身体の腹部に嵌入すること、
腹部をこのことにより腹腔を拡大しているガスで満たすことのように針のような管を使用すること、
患者の身体の少なくとも2つの腹腔鏡検査外套針を配置すること、
外套針のうちの1つによるカメラを腹部に嵌入すること、
外套針のいずれかによる詳細に吟味しているツールを嵌入して、患者の血管の少なくとも一つの部分の領域を解剖すること、
血管に関して取り付けられる冷却面から成る高血圧治療デバイスを配置する、そして、
血管の収縮の前後で、更に血液差圧に影響するために壁部分の収縮に血管の収縮を引き起こさせるために血管の壁部分を冷やすこと、
を備える、高血圧を制御する方法。
【請求項１５】
血管は腹大動脈から患者の器官まで通じている動脈の血管である。そこにおいて、高血圧治療デバイスはこの維管束系の高血圧を処理している、請求項１４に記載の方法。
【請求項１６】
局所的に人間または哺乳類患者維管束系の高血圧を制御する方法において、
患者身体の胸部に管のような針を嵌入すること、
胸部をこのことにより胸郭空腔を拡大しているガスで満たすために針のような管を使用すること、
患者の身体の少なくとも2つの腹腔鏡検査外套針を配置すること、
外套針のうちの1つによるカメラを胸部に嵌入すること、
外套針のいずれかによる詳細に吟味しているツールを嵌入して、血管の少なくとも一つの部分の領域を解剖すること、
冷却面から成る高血圧治療デバイスを配置することは、血管に関して付属した、そして、血管の収縮の前後で、更に血液差圧に影響するために壁部分の収縮に血管の収縮を引き起こさせるために血管の壁部分を冷やすこと、
を備える、高血圧を制御する方法。
【請求項１７】
右心室から患者の肺まで通じている血管に対して、高血圧治療デバイスが肺維管束系の高血圧を処理する、請求項１２に記載の方法。
【請求項１８】
人間または哺乳類患者維管束系の高血圧を局所的に制御する方法であって、
皮膚を患者に切ること、
血管の領域を解剖すること、
冷却面から成る高血圧治療デバイスを配置することは、血管に関して付属した、そして、
血管の収縮の前後で、血液差圧を作成するために壁部分の収縮に血管の収縮を引き起こさせるために血管の壁部分を冷やすこと
を備える、高血圧を局所的に制御する方法。
【手続補正書】
【提出日】平成23年11月7日(2011.11.7)
【手続補正１】
【補正対象書類名】特許請求の範囲
【補正対象項目名】全文
【補正方法】変更
【補正の内容】
【特許請求の範囲】
【請求項１】
少なくともビデオシーケンスを含むコンテンツ信号のビデオ要約を生成する方法であって、
前記ビデオシーケンスのセグメントを、少なくとも第１のクラス及び第２のクラスの一方に、前記コンテンツ信号のそれぞれの部分の特性及び前記第１のクラスのセグメントを識別する基準の少なくとも第１のセットの解析に基づいて分類するステップと、
それぞれが前記第１のクラスのそれぞれのセグメントに少なくとも部分的に基づく画像のサブシーケンスを連結することにより、前記画像のサブシーケンスの少なくとも１つにおいて、前記第１のクラスのそれぞれのセグメントに基づく動画が、第１のタイプのウィンドウに表示されるように、画像のシーケンスを形成するステップと、
前記第２のクラスのセグメントの表現が、別のタイプのウィンドウにおいて、前記画像のシーケンスの少なくとも幾つかの画像と共に表示されるようにするステップと、
を含む方法。
【請求項２】
前記第２のクラスのセグメントの表現は、前記第１のタイプのウィンドウが、前記別のタイプのウィンドウよりも視覚的に優位となるように、前記画像のシーケンスの少なくとも幾つかに含められる、請求項１に記載の方法。
【請求項３】
前記第１のクラスの２つのセグメント間に位置する前記第２のクラスのセグメントの表現は、前記第２のクラスのセグメントに後続する前記第１のクラスの２つのセグメントの一方に基づいて、画像のサブシーケンスの少なくとも幾つかと共に表示される、請求項１又は２に記載の方法。
【請求項４】
前記別のタイプのウィンドウは、前記第１のタイプのウィンドウの一部に重畳される、請求項２又は３に記載の方法。
【請求項５】
前記第２のクラスのセグメントは、前記コンテンツ信号のそれぞれの部分の解析及び前記第２のクラスのセグメントを識別するための基準の少なくとも第２のセットに基づいて識別される、請求項１乃至４のいずれか一項に記載の方法。
【請求項６】
前記第２のクラスのセグメントは、前記第１のクラスの２つのセグメントを分離するセクション内で、前記２つのセグメントの少なくとも一方の位置及び内容の少なくとも一方に少なくとも一部基づいて識別される、請求項５に記載の方法。
【請求項７】
前記第２のクラスのセグメントの表現は、前記第２のクラスのセグメントに基づく画像のシーケンスを含む、請求項１乃至６のいずれか一項に記載の方法。
【請求項８】
前記第２のクラスのセグメントに基づく画像のシーケンスの長さを、前記第１のクラスのそれぞれのセグメントに基づく画像のサブシーケンスの長さ以下となるように適合させるステップを含み、これにより前記第２のクラスのセグメントに基づく画像のシーケンスが表示される、請求項７に記載の方法。
【請求項９】
少なくともビデオシーケンスを含むコンテンツ信号のビデオ要約を生成するためのシステムであって、前記システムは、
前記コンテンツ信号を受信するための入力部と、
前記ビデオシーケンスのセグメントを、少なくとも第１のクラス及び第２のクラスの一方に、前記コンテンツ信号のそれぞれの部分の特性及び前記第１のクラスのセグメントを識別する基準の少なくとも第１のセットの解析に基づいて分類し、更に、
それぞれが前記第１のクラスのそれぞれのセグメントに少なくとも部分的に基づく画像のサブシーケンスを連結することにより、前記画像のサブシーケンスの少なくとも１つにおいて、前記第１のクラスのそれぞれのセグメントに基づく動画が、第１のタイプのウィンドウに表示されるように、画像のシーケンスを形成するための信号処理システムと、
を含み、前記システムは、前記第２のクラスのセグメントの表現が、別のタイプのウィンドウにおいて、前記画像のシーケンスの少なくとも幾つかの画像と共に表示されるようにするように構成されたシステム。
【請求項１０】
請求項１乃至８のいずれか一項に記載の方法を実行するように構成された、請求項９に記載のシステム。
【請求項１１】
コンピュータ読み取り可能な媒体に組み込まれたときに、情報処理能力を持つシステムに、請求項１乃至８のいずれか一項に記載の方法を実行させることが可能な命令のセットを含む、コンピュータプログラム。
【手続補正書】
【提出日】平成23年3月7日(2011.3.7)
【手続補正１】
【補正対象書類名】特許請求の範囲
【補正対象項目名】全文
【補正方法】変更
【補正の内容】
【特許請求の範囲】
【請求項１】
金属、金属合金、あるいはＰＥＥＫで構成される椎間インプラントであって、該インプラントは２つの椎体に接触するための２つの面と、外側シースと、内部構造とを備え、該内部構造は複数の通路により形成され、該通路はそれぞれ８，０００μｍ2〜７，０００，０００μｍ2の断面積を有し、該通路は脊柱の縦軸に沿って互いに平行に延在しており、該通路は複数の開口部によって互いに接続されていることを特徴とする椎間インプラント。
【請求項２】
前記通路は５０，０００μｍ2〜３，１００，０００μｍ2の断面積を有することを特徴とする請求項１に記載の椎間インプラント。
【請求項３】
前記通路は１００μｍ〜３，０００μｍの直径を有することを特徴とする請求項１に記載の椎間インプラント。
【請求項４】
前記通路は２５０μｍ〜２，０００μｍの直径を有することを特徴とする請求項１に記載の椎間インプラント。
【請求項５】
前記内部構造の骨接触面は凸状であることを特徴とする請求項１〜４のいずれか１項に記載の椎間インプラント。
【請求項６】
前記通路は一方の骨接触面から反対側の面まで連続的に延在していることを特徴とする請求項１〜５のいずれか１項に記載の椎間インプラント。
【請求項７】
前記インプラントは骨接触面に平方センチメートルあたり少なくとも１００本の通路を備えることを特徴とする請求項１〜６のいずれか１項に記載の椎間インプラント。
【請求項８】
各通路は少なくとも２つの開口部を介して隣接する通路と接続されていることを特徴とする請求項１〜７のいずれか１項に記載の椎間インプラント。
【請求項９】
前記開口部は点状、穴状、円形、円筒状、楕円形、あるいは楔状であることを特徴とする請求項１〜８のいずれか１項に記載の椎間インプラント。
【請求項１０】
前記開口部は一方の骨接触面から反対側の面まで切込みの形状で連続的に延在していることを特徴とする請求項８あるいは請求項９に記載の椎間インプラント。
【請求項１１】
前記開口部は前記通路の壁の側部領域のみか、あるいは前後領域にのみのいずれかに設けられていることを特徴とする請求項１０に記載の椎間インプラント。
【請求項１２】
前記通路は丸形、楕円形、三角形、四角形、五角形あるいは六角形に構成されていることを特徴とする請求項１〜１１のいずれか１項に記載の椎間インプラント。
【請求項１３】
前記通路はその途中で半径または直径が変わらないことを特徴とする請求項１〜１２のいずれか１項に記載の椎間インプラント。
【請求項１４】
前記開口部は、前記インプラントを通る前記通路の縦軸に対して垂直なドリル穴の形態によって形成されることを特徴とする請求項１〜１３のいずれか１項に記載の椎間インプラント。
【請求項１５】
前記開口部は、前記インプラントの外壁を反対側の面の方向に延在しており、この列の通路を互いに連結させることを特徴とする請求項１〜１４のいずれか１項に記載の椎間インプラント。
【請求項１６】
前記通路の壁に沿って楔形あるいは斜めの開口部が通路の長手方向における切込みの形態で設けられているため、前記インプラントの内部構造が微小運動を可能にしていることを特徴とする請求項１〜１５のいずれか１項に記載の椎間インプラント。
【請求項１７】
前記インプラントは、頸部ケージ、胸部ケージ、腰部ケージ、人工椎間板および椎骨を融合させるためのインプラントで構成される群から選択されることを特徴とする請求項１〜１６のいずれか１項に記載の椎間インプラント。
【手続補正書】
【提出日】平成23年8月19日(2011.8.19)
【手続補正１】
【補正対象書類名】特許請求の範囲
【補正対象項目名】全文
【補正方法】変更
【補正の内容】
【特許請求の範囲】
【請求項１】
分子間ジスルフィド結合形成方法であって、
（ａ）ｐＩが８を超すアミノ酸を第１の又は第２の（ポリ）ペプチド／タンパク質に導入するステップと、
（ｂ）第１の（ポリ）ペプチド／タンパク質を、第２の（ポリ）ペプチド／プロテインへ付着させ、あるいは付着可能にするステップとを具え、
前記付着が、前記第１の（ポリ）ペプチド／タンパク質に含まれる第１のシステイン残基と前記第２（ポリ）ペプチド／タンパク質に含まれる第２システイン残基との間のジスルフィド結合の形成により起こり、
前記（ポリ）ペプチド／タンパク質の１つが、ステップ（ａ）において前記第１又は第２（ポリ）ペプチド／タンパク質に人工的に導入され、前記システイン残基の少なくとも１つの反応性に好影響を与えるｐＩが８を超すアミノ酸を含み、
前記第１（ポリ）ペプチド／タンパク質が、前記バクテリオファージ粒子のタンパク質コートの構成要素であり、
及び前記第２（ポリ）ペプチド／タンパク質が、免疫グロブリン又はその機能的断片を具えることを特徴とする分子間ジスルフィド結合の形成方法。
【請求項２】
前記ｐＩが８を超すアミノ酸が、前記第１の（ポリ）ペプチド／タンパク質に含まれることを特徴とする請求項１に記載の方法。
【請求項３】
前記ｐＩが８を超すアミノ酸が、前記第２（ポリ）ペプチド／タンパク質に含まれることを特徴とする請求項１に記載の方法。    
【請求項４】
前記第２（ポリ）ペプチド／タンパク質が、バクテリオファージ粒子の表面上に提示されることを特徴とする請求項１乃至３のいずれか１項に記載の方法。  
【請求項５】
前記ジスルフィド結合が、宿主細胞のペリプラズム空間で形成されることを特徴とする請求項１乃至４のいずれか１項に記載の方法。
【請求項６】
前記ｐＩが８を超すアミノ酸が、リジン及びアルギニンから選択されることを特徴とする請求項１乃至５のいずれか１項に記載の方法。
【請求項７】
前記タンパク質コートの構成要素が、
（ｉ）バクテリオファージの野生型コートタンパク質の短縮変異体であって、前記コートタンパク質を前記バクテリオファージ粒子の前記タンパク質コートに組み込ませる前記野生型コートタンパク質の部分を少なくとも具える短縮変異体、
又は
（ｉｉ）バクテリオファージの野生型コートタンパク質の修飾変異体であって、前記バクテリオファージ粒子の前記タンパク質コートに組み込まれることが可能な修飾変異体であることを特徴とする請求項１乃至６のいずれか１項に記載の方法。
【請求項８】
バクテリオファージの野生型コートタンパク質の修飾変異体をコードする核酸配列であって、前記修飾変異体が、
（ａ）前記バクテリオファージの野生型コートタンパク質の１又はそれ以上の部分であって、当該部分の１つが前記コートタンパク質をファージコートへ組み込み、あるいは可能にする部分を少なくとも含む、前記バクテリオファージの野生型コートタンパク質の１又はそれ以上の部分と、
（ｂ）第１のシステイン残基と、
（ｃ）前記野生型コートタンパク質内の対応するアミノ酸位置に存在せず、前記第１のシステイン残基に隣接する５アミノ酸内に位置し、前記第１のシステイン残基の反応性に好影響を与える、ｐＩが８を超すアミノ酸とを具えることを特徴とする核酸配列。
【請求項９】
修飾免疫グロブリン又はその機能的断片をコードする核酸配列であって、前記修飾免疫グロブリン又はその機能的断片が、
（ａ）免疫グロブリン又はその機能的断片と、
（ｂ）システイン残基と、
（ｃ）前記修飾免疫グロブリン内の対応するアミノ酸位置に存在せず、前記システイン残基に隣接する５アミノ酸内に位置し、前記システイン残基の反応性に好影響を与える、ｐＩが８を超すアミノ酸とを具えることを特徴とする核酸配列。
【請求項１０】
請求項８又は９のいずれか１項に記載の核酸を具えることを特徴とするベクター。
【請求項１１】
請求項８又は９のいずれか１項に記載の核酸配列又は請求項１０に記載のベクターを具えることを特徴とする宿主細胞。
【請求項１２】
請求項４に記載の方法で得られるバクテリオファージ粒子の多様なコレクションであって、前記バクテリオファージ粒子の各々が第２の（ポリ）ペプチド／タンパク質の多様なコレクション中の第２の（ポリ）ペプチド／タンパク質を提示することを特徴とするバクテリオファージ粒子の多様なコレクション。
【請求項１３】
（ａ）第１のシステイン残基を具える第１の（ポリ）ペプチド／タンパク質と、
（ｂ）第２のステイン残基を具える第２の（ポリ）ペプチド／タンパク質とを具える複合体であって、  
前記（ポリ）ペプチド／タンパク質の１つがさらに、前記野生型（ポリ）ペプチド／タンパク質内の対応するアミノ酸位置に存在せず、前記システイン残基の少なくとも１つに隣接する５アミノ酸内に位置し、前記システイン残基の少なくとも１つの反応性に好影響を与えるｐＩが８を超すアミノ酸であり、
前記第１の（ポリ）ペプチド／タンパク質がバクテリオファージ粒子のタンパク質コートの構成要素であり、
前記第２の（ポリ）ペプチド／タンパク質が免疫グロブリン又はその機能的断片を含み、
前記第１の及び前記第２の（ポリ）ペプチド／タンパク質が前記システイン残基を介してジスルフィド結合を形成することを特徴とする複合体。
【請求項１４】
請求項１３に記載の複合体であって、前記第２（ポリ）ペプチド／タンパク質が複数のバクテリオファージ粒子の多様なコレクションに提示される第２（ポリ）ペプチド／タンパク質の多様なコレクションの構成要素であることを特徴とする複合体。
【手続補正書】
【提出日】平成23年6月28日(2011.6.28)
【手続補正１】
【補正対象書類名】特許請求の範囲
【補正対象項目名】全文
【補正方法】変更
【補正の内容】
【特許請求の範囲】
【請求項１】
Ｒ−Ｘ1−Ｘ2−Ｘ3−Ｋ−Ｌ−Ｘ4−Ｘ5−Ｘ6−Ｙ−Ｘ7−Ｘ8−Ｘ9−Ｘ10−Ｘ11、
式中、
Ｘ1は、Ｅ、Ｑ、Ｇ、Ｋ、及びＴからなる群から選択され、
Ｘ2は、Ｌ、Ｉ又はＹであり、
Ｘ3は、Ｔ、Ｍ、Ｄ、Ｓ、Ｇ、Ａ、Ｑ、及びＬからなる群から選択され、
Ｘ4は、Ｋ、Ｒ又はＱであり、
Ｘ5は、Ｎ、Ｓ又はＧであり、
Ｘ6は、Ｓであり、
Ｘ7は、Ｖ、Ｉ、Ｌ、Ａ、Ｔからなる群から選択され、
Ｘ8は、Ｄ又はＥであり、
Ｘ9は、Ｐ、Ａ、Ｇ、Ｋ、Ｔ、及びＳからなる群から選択され、
Ｘ10は、Ｌ又はＩであり、
Ｘ11は、Ｐ又はＬである；
を含んでなるＤＮＡポリメラーゼであって、
Ｘ6がＴであり他は同一のポリメラーゼと比較して、ピロリン酸分解活性化重合（ｐｙｒｏｐｈｏｓｐｈｏｒｏｌｙｓｉｓ ａｃｔｉｖａｔｅｄ ｐｏｌｙｍｅｒｉｚａｔｉｏｎ）（ＰＡＰ）活性が向上している、ＤＮＡポリメラーゼ。
【請求項２】
Ｘ6がＴであり他は同一のポリメラーゼと比較して、ブロックプライマーＫＡＢ７７（配列番号２７）を伸長させる速度がより速い、請求項１に記載のＤＮＡポリメラーゼ。
【請求項３】
ＣＳ５ ＤＮＡポリメラーゼ（配列番号２０）と、少なくとも９０％の配列同一性を有するキメラポリメラーゼを含んでなる、請求項１に記載のＤＮＡポリメラーゼ。
【請求項４】
前記キメラポリメラーゼが、Ｇ４６Ｅ、Ｌ３２９Ａ、及びＥ６７８Ｇ、及びＴ６０６Ｓからなる群から選択される１又は複数のアミノ酸置換を有する、配列番号２２を含んでなる、請求項３に記載のＤＮＡポリメラーゼ。
【請求項５】
請求項１〜４のいずれか１項に記載の前記ＤＮＡポリメラーゼをコードする、組換え核酸。
【請求項６】
前記ポリメラーゼが、その非改変体において、ピロリン酸分解活性化重合活性（ＰＡＰ）を有し、且つ以下のコンセンサス配列、
Ｒ−Ｘ1−Ｘ2−Ｘ3−Ｋ−Ｌ−Ｘ4−Ｘ5−Ｘ6−Ｙ−Ｘ7−Ｘ8−Ｘ9−Ｘ10−Ｘ11（配列番号２４）、
ここで、Ｘ1、Ｘ3、Ｘ7及びＸ9は、任意のアミノ酸であり、
Ｘ2は、Ｌ、Ｉ又はＹであり、
Ｘ4は、Ｋ、Ｒ又はＱであり、
Ｘ5は、Ｎ、Ｓ又はＧであり、
Ｘ6は、Ｔであり、
Ｘ8は、Ｄ又はＥであり、
Ｘ10は、Ｌ又はＩであり、
Ｘ11は、Ｐ又はＬである
を有するアミノ酸配列を含むことを特徴とする変異ＤＮＡポリメラーゼである、請求項１に記載のＤＮＡポリメラーゼ。
【請求項７】
前記ポリメラーゼの非改変体が、
（ａ）ＣＳ５ ＤＮＡポリメラーゼ
（ｂ）サーマス・サーモフィルス（Ｔｈｅｒｍｕｓ  ｔｈｅｒｍｏｐｈｉｌｕｓ）
（ｃ）サーマス・カルドフィルス（Ｔｈｅｒｍｕｓ  ｔｈｅｒｍｏｐｈｉｌｕｓ）
（ｄ）サーマス種Ｚ０５
（ｅ）サーマス・アクアティクス（Ｔｈｅｒｍｕｓ  ａｑｕａｔｉｃｕｓ）
（ｆ）サーマス・フラバス（Ｔｈｅｒｍｕｓ  ｆｌａｖｕｓ）
（ｇ）サーマス・フィリフォルミス（Ｔｈｅｒｍｕｓ  ｆｉｌｉｆｏｒｍｉｓ）
（ｈ）サーマス種ｓｐｓ１７
（ｉ）デイノコッカス・ラディオデュランス（Ｄｅｉｎｏｃｏｃｃｕｓ  ｒａｄｉｏｄｕｒａｎｓ）
（ｊ）バチルス・ステレオサーモフィルス（Ｂａｃｉｌｌｕｓ  ｓｔｅａｒｏｔｈｅｒｍｏｐｈｉｌｕｓ）
（ｋ）バチルス・カルドテナクス（Ｂａｃｉｌｌｕｓ  ｃａｌｄｏｔｅｎａｘ）
（ｌ）エシェリア・コリ（Ｅｓｃｈｅｒｉａ  ｃｏｌｉ）
（ｍ）サーモトガ・マリチマ（Ｔｈｅｒｍｏｔｏｇａ  ｍａｒｉｔｉｍａ）
（ｎ）サーモシフォ・アフリカヌス（Ｔｈｅｒｍｏｓｉｐｈｏ  ａｆｒｉｃａｎｕｓ）
（ｏ）サーモトガ・ネアポリタナ（Ｔｈｅｒｍｏｔｏｇａ  ｎｅａｐｏｌｉｔａｎａ）
（ｐ）ホット・スプリング・ファミリーＡ
（ｑ）（ａ）〜（ｐ）のいずれか１つと少なくとも９０％配列同一性を有するＤＮＡポリメラーゼ、
からなる群から選択される、請求項６に記載の変異ＤＮＡポリメラーゼ。
【請求項８】
ポリヌクレオチド鋳型、３'末端で伸長不可能なヌクレオチドを有する少なくとも１つのプライマー、及び請求項１〜４、６及び７のいずれか１項に記載のＤＮＡポリメラーゼを含んでなり、ここで、当該伸長不可能なヌクレオチドは、２'−ターミネーターヌクレオチドである、反応混合物。
【請求項９】
請求項１〜４、６及び７のいずれか１項に記載のＤＮＡポリメラーゼを、プライマー、ポリヌクレオチド鋳型、及び遊離のヌクレオチドと接触させることを含んでなり、
ここで当該プライマーの３'末端が、伸長不可能なヌクレオチドで遮断され、
及び、当該プライマーの３'末端の伸長不可能なヌクレオチドのピロリン酸分解に適する条件下で、当該プライマーが伸長し、それにより、ピロリン酸分解活性化重合が達成される、ピロリン酸分解活性化重合を達成するための方法。
【請求項１０】
請求項１〜４、６及び７のいずれか１項に記載のＤＮＡポリメラーゼを、プライマー、ヌクレオチド鋳型、及び遊離ヌクレオチドと、当該プライマーの伸長に適する条件下で接触させ、それにより伸長プライマーを作製することを含んでなる、プライマー伸長を行うための方法。
【請求項１１】
請求項１〜４、６及び７のいずれか１項に記載のＤＮＡポリメラーゼを提供する少なくとも１つの容器と、以下の、
（ａ）ピロリン酸分解活性化重合条件下、ポリヌクレオチド鋳型にハイブリダイズ可能なプライマーを提供する容器；
（ｂ）３'末端に伸長不可能なヌクレオチドを有し、ピロリン酸分解活性化重合条件下、前記ポリヌクレオチド鋳型にハイブリダイズ可能なプライマーを提供する容器；
（ｃ）遊離ヌクレオチドを提供する容器；
（ｄ）ピロリン酸分解活性化重合に適する緩衝剤を提供する容器、
からなる群から選択される１又は複数の追加の容器とを含んでなる、ピロリン酸活性化重合を行うためのキット。